(57)【要約】【課題】一のソファで、ローバック仕様としながら、必要時にハイバック仕様とすることが可能なソファを提供すること。【解決手段】背もたれ部１１を有するソファ本体１０と、背もたれ部１１に載置可能な背もたれ用クッション２０とを備えるソファ１００であって、ソファ本体１０は、背もたれ部１１に、収納姿勢と展開姿勢に切り替え可能なハイバック支持フレーム４０を備えている。そして、ハイバック支持フレーム４０を収納姿勢とした状態では、ハイバック支持フレーム４０は、背もたれ部１１から突出しない状態に畳まれている。また、ハイバック支持フレーム４０を展開姿勢とした状態では、ハイバック支持フレーム４０を背もたれ部１１の上方に突出させて、ハイバック指示フレーム４０に別部材のハイバック用クッション６０を連結可能としている。【選択図】図４
2020195546.tif 000002
【特許請求の範囲】
【請求項１】
背もたれ部を有するソファ本体と、
前記背もたれ部に載置可能な背もたれ用クッションと、
を備えるソファであって、
前記ソファ本体は、前記背もたれ部に、収納姿勢と展開姿勢に切り替え可能なハイバック支持フレームを備えており、
前記ハイバック支持フレームを前記収納姿勢とした状態では、前記ハイバック支持フレームは、前記背もたれ部から突出しない状態に畳まれており、
前記ハイバック支持フレームを前記展開姿勢とした状態では、前記ハイバック支持フレームを前記背もたれ部の上方に突出させて、該ハイバック指示フレームに別部材のハイバック用クッションを連結可能としてなるソファ。
【請求項２】
請求項１に記載のソファであって、
前記ハイバック支持フレームは、平面視コ字状であって、前記ハイバック支持フレームの両端側が回動自在に前記背もたれ部に装着されており、
前記背もたれ部は、前記ハイバック支持フレームを収納姿勢とする状態で、該ハイバック支持フレームを収納する収納部を形成してなるソファ。
【請求項３】
請求項２に記載のソファであって、
前記収納部が、前記背もたれ部に形成されたスリットであるソファ。
【請求項４】
請求項２又は３に記載のソファであって、
前記ハイバック支持フレームが、
前記ハイバック支持フレームの両端側に設けられ、前記背もたれ部に埋設された回転軸を中心に回動自在な回動部と、
前記ハイバック支持フレームを前記展開姿勢とする状態で、前記回動部から前記背もたれ部の外部に延出し、前記ハイバック用クッションを挿入する挿入部と、
を備えるソファ。
【請求項５】
請求項４に記載のソファであって、
前記挿入部が、
一端側が前記回動部にそれぞれ連結されている一対の第一部材と、
前記一対の第一部材間に設けられ、前記一対の第一部材のそれぞれの他端側を連結する第二部材と、
を備えるソファ。
【請求項６】
請求項５に記載のソファであって、
前記ハイバック支持フレームが、さらに、
前記回動部と、前記挿入部との間に、一対の折曲部を有しており、
前記一対の折曲部は、前記ハイバック支持フレームを前記展開姿勢とした状態で、前記背もたれ部に載置された前記背もたれ用クッションの上部を押圧するよう構成してなるソファ。
【請求項７】
請求項１〜６いずれか一項に記載のソファであって、
前記ソファ本体は、平面視において、一対の長辺である第一辺と、一対の短辺である第二辺からなる矩形状であって、
前記背もたれ部が、前記一対の第一辺の一方側に設けられ、
前記ハイバック支持フレームが前記背もたれ部に複数、横並びに装着されてなるソファ。
【請求項８】
請求項１〜７のいずれか一項に記載のソファであって、
前記ハイバック用クッションは、前記ハイバック支持フレームを収納姿勢とした状態で、前記ソファ本体の上面に載置したクッションとして利用可能としてなるソファ。
【発明の詳細な説明】
【技術分野】
【０００１】
本発明は、ハイバック付きのソファに関する。
【背景技術】
【０００２】
ソファは一般に背が低く、またソファの背もたれは使用者の背中を保持する程度のローバックソファが多いため、後頭部を支持することはできない。一方で、背の高いハイバックソファも提供されているが、大型化するため圧迫感があり、部屋を狭く感じてしまう欠点がある。これに対し、特許文献１に示すように、ローバックソファに取り付けてハイバックソファと同様の座り心地が得られるソファの差し込み式ヘッドレストが提案されている。この差し込み式ヘッドレストは、図１３に示すようにヘッドレストクッション９０と枠体９１を備えている。差し込み式ヘッドレストは、ソファ本体と別部材で作製されている。そして、ソファの背もたれ用クッションとソファ本体との間に、差し込み式ヘッドレストの枠体９１を挿入することで、ソファに保持される。この差し込み式ヘッドレストを使用すれば、ローバックソファを必要時にハイバック仕様とすることができ、快適に着座できる利点が得られる。
【先行技術文献】
【特許文献】
【０００３】
【特許文献１】実用新案登録第３１８８６１２号公報
【発明の概要】
【発明が解決しようとする課題】
【０００４】
しかしながら、このような差し込み式ヘッドレストは、ソファ本体と別部材で作製されているため、使用しない際には嵩張ったり、邪魔になる上、専用のカバーを用意したり保管場所を確保する必要があり、また使用したい時にどこに仕舞ったかを忘れる等の懸念があった。また、ソファとは別に購入するためコストもかかる問題もあった。
【０００５】
本発明は、従来のこのような問題点に鑑みてなされたものであり、その目的の一は、一のソファでローバック仕様としながら、必要時にハイバック仕様とすることが可能なソファを提供することにある。
【課題を解決するための手段及び発明の効果】
【０００６】
本発明の第１の側面に係るソファによれば、背もたれ部を有するソファ本体と、前記背もたれ部に載置可能な背もたれ用クッションとを備えるソファであって、前記ソファ本体は、前記背もたれ部に、収納姿勢と展開姿勢に切り替え可能なハイバック支持フレームを備えることができる。また、前記ハイバック支持フレームを前記収納姿勢とした状態では、前記ハイバック支持フレームは、前記背もたれ部から突出しない状態に畳まれており、前記ハイバック支持フレームを前記展開姿勢とした状態では、前記ハイバック支持フレームを前記背もたれ部の上方に突出させて、該ハイバック指示フレームに別部材のハイバック用クッションを連結することができる。上記構成により、ハイバック仕様とした場合にはハイバック支持フレームを展開姿勢に切り替えることで、ハイバック用クッションを背もたれ用クッションの上方に保持させることができる。一方でローバック仕様とした場合にはハイバック支持フレームを収納姿勢に切り替えることで、ハイバックのないローバック仕様のソファとして使用できる。すなわち、ハイバックの非使用時にはハイバック支持フレームを収納させつつ、必要時にのみハイバック支持フレームを展開することが可能となり、一のソファでハイバック付きのソファとハイバックなしのソファとに切り替えることができ、便利に使用できる利点が得られる。また、ハイバック支持フレームを別部材とせずソファ本体に組み込み、ハイバックの非使用時にはソファ本体にハイバック支持フレームを収納できるようにしている。これにより、ハイバック支持フレームを別の場所に片付ける必要もなくなるため、余分な収納場所を確保する必要もなくなって利便性が高まる利点も得られる。
【０００７】
また、第２の側面に係るソファによれば、上記構成に加えて、前記ハイバック支持フレームは、平面視コ字状であって、前記ハイバック支持フレームの両端側が回動自在に前記背もたれ部に装着されており、前記背もたれ部は、前記ハイバック支持フレームを収納姿勢とする状態で、該ハイバック支持フレームを収納する収納部を形成することができる。上記構成により、収納状態においてハイバック支持フレームを露出させることなく背もたれ部に収納できるため、見栄えが良くなるという利点が得られる。
【０００８】
さらに、第３の側面に係るソファによれば、上記構成に加えて、前記収納部を、前記背もたれ部に形成されたスリットとすることができる。上記構成により、小さな収納スペースで効率よくハイバック支持フレームを収納できる利点が得られる。また、見た目にも目立たず、見栄えの悪化を防ぐこともできる。
【０００９】
さらにまた、第４の側面に係るソファによれば、上記何れかの構成に加えて、前記ハイバック支持フレームが、前記ハイバック支持フレームの両端側に設けられ、前記背もたれ部に埋設された回転軸を中心に回動自在な回動部と、前記ハイバック支持フレームを前記展開姿勢とする状態で、前記回動部から前記背もたれ部の外部に延出し、前記ハイバック用クッションを挿入する挿入部とを備えることができる。上記構成により、挿入部に挿入するだけでハイバック用クッションを支持できるため、展開姿勢と収納姿勢の切り替え操作が簡単で、使い勝手がよくなるという利点が得られる。
【００１０】
さらにまた、第５の側面に係るソファによれば、上記構成に加えて、前記挿入部が、一端側が前記回動部にそれぞれ連結されている一対の第一部材と、前記一対の第一部材間に設けられ、前記一対の第一部材のそれぞれの他端側を連結する第二部材とを備えることができる。
【００１１】
さらにまた、第６の側面に係るソファによれば、上記構成に加えて、前記ハイバック支持フレームが、さらに、前記回動部と、前記挿入部との間に、一対の折曲部を有しており、前記一対の折曲部は、前記ハイバック支持フレームを前記展開姿勢とした状態で、前記背もたれ部に載置された前記背もたれ用クッションの上部を押圧することができる。上記構成により、ハイバック支持フレームで背もたれ用クッションを定位置に保持しながら、この背もたれ用クッションの上部にハイバック用クッションを保持して、位置決めされた状態にて安定してハイバック仕様のソファを利用できる利点が得られる。
【００１２】
さらにまた、第７の側面に係るソファによれば、上記何れかの構成に加えて、前記ソファ本体は、平面視において、一対の長辺である第一辺と、一対の短辺である第二辺からなる矩形状であって、前記背もたれ部が、前記一対の第一辺の一方側に設けられ、前記ハイバック支持フレームを前記背もたれ部に複数、横並びに装着することができる。上記構成により、一人掛け用のソファのみならず、複数人が座るソファもハイバック仕様とすることができる。
【００１３】
さらにまた、第８の側面に係るソファによれば、上記何れかの構成に加えて、前記ハイバック用クッションは、前記ハイバック支持フレームを収納姿勢とした状態で、前記ソファ本体の上面に載置したクッションとして利用することができる。上記構成により、通常時はクッションとして使用しながら、ハイバック仕様とした場合にはハイバック用のクッションとして利用することができ、部材の共通化によって構成を簡素化できる。特にローバック仕様とした場合には通常のクッションとして利用できるので、ハイバック用に別途クッションを用意する必要がないばかりか、ハイバック用のクッションを片付ける必要もなくなり、クッションとして無駄なく活用できる利点が得られる。
【図面の簡単な説明】
【００１４】
【図１】本発明の実施形態１に係るソファの、ハイバック支持フレームを収納姿勢とした状態を示す要部拡大図付き分解斜視図である。
【図２】図１のソファ本体の平面図である。
【図３】図２のソファ本体のＩＩＩ−ＩＩＩ線断面図である。
【図４】図１のハイバック支持フレームを展開姿勢とした状態を示す要部拡大図付き分解斜視図である。
【図５】図５Ａはハイバック支持フレームを収納姿勢とした状態を示す背もたれ部の縦断面図、図５Ｂはハイバック支持フレームを展開姿勢とした状態を示す背もたれ部の縦断面図である。
【図６】図１のハイバック支持フレームを示す斜視図である。
【図７】図６のハイバック支持フレームを示す側面図である。
【図８】図８Ａはハイバック支持フレームと背もたれ部との連結状態の別の例を示す背もたれ部の正面図、図８Ｂはハイバック支持フレームと背もたれ部との連結状態の別の例を示す背もたれ部の正面図である。
【図９】図１のハイバック支持フレームを展開姿勢とした状態を背面から見た要部拡大図及び断面図付き斜視図である。
【図１０】実施形態２に係るソファ本体を示す斜視図である。
【図１１】１１Ａは実施形態３に係るハイバック支持フレームを収納姿勢とした状態を示す斜視図、図１１Ｂはハイバック支持フレームを展開姿勢とした状態を示す斜視図である。
【図１２】実施形態４に係るソファを示す斜視図である。
【図１３】従来のソファの差し込み式ヘッドレストを示す斜視図である。
【発明を実施するための形態】
【００１５】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００１６】
本発明の実施形態１に係るソファ１００を図１〜図９に示す。これらの図において、図１は本発明の実施形態１に係るソファの、ハイバック支持フレームを収納姿勢とした状態を示す要部拡大図付き分解斜視図、図２は図１のソファ本体の平面図、図３は図２のソファ本体のＩＩＩ−ＩＩＩ線断面図、図４は図１のハイバック支持フレームを展開姿勢とした状態を示す要部拡大図付き分解斜視図、図５Ａはハイバック支持フレームを収納姿勢とした状態を示す背もたれ部の縦断面図、図５Ｂはハイバック支持フレームを展開姿勢とした状態を示す背もたれ部の縦断面図、図６は図１のハイバック支持フレームを示す斜視図、図７は図６のハイバック支持フレームを示す側面図、図８Ａはハイバック支持フレームと背もたれ部との連結状態の別の例を示す背もたれ部の正面図、図８Ｂはハイバック支持フレームと背もたれ部との連結状態の別の例を示す背もたれ部の正面図、図９は図１のハイバック支持フレームを展開姿勢とした状態を背面から見た要部拡大図及び断面図付き斜視図を、それぞれ示している。
【００１７】
ソファ１００は、図１に示すように、背もたれ部１１及び板状の座部１２を有するソファ本体１０と、背もたれ部１１に載置可能な背もたれ用クッション２０と、ソファ本体１０の底面に着脱可能に装着される脚部３０と、座部１２に載置可能な座部用クッション５０とを備える。ソファ本体１０、背もたれ用クッション２０及び座部用クッション５０は、その表面を不織布、皮革、ビニール等の可撓性のあるソファーカバーで覆われている。
（ソファ本体１０）
【００１８】
図２に示すように、ソファ本体１０は、平面視において、一対の長辺である第一辺１０ａ、１０ａと、一対の短辺である第二辺１０ｂ、１０ｂからなる矩形状である。そして、背もたれ部１１が、一つの第一辺１０ａ側に設けられる。また、ソファ本体１０は、一対の第二辺１０ｂ、１０ｂに一対の座部側側部１３、１３を備えてもよい。一対の座部側側部１３、１３を備えることにより、座部１２の側部が座面よりも一段高くなって、座部用クッション５０の端面を壁のように堰き止めることができる。これにより、座部用クッション５０がソファ本体１０の外側にずれることを防ぐことができる。ただ、本願発明のソファ本体の形状は特に限定されず、平面視において、正方形状、台形状など様々な形状を選択し得る。
（背もたれ部１１）
【００１９】
背もたれ部１１は、図３に示すように、板状の座部１２の上面から上方に立設される。また、背もたれ部１１の座部１２側の背もたれ面１１ａから背もたれ部１１の内部に、図１に示すハイバック支持フレーム４０を収納する収納部である一対のスリット１４、１４を形成している。一対のスリット１４、１４は、垂直姿勢で互いに平行に形成されている。そして一対のスリット１４、１４の内側に設けられる内壁１４ａ、１４ａと、外側に設けられる内壁１４ｂ、１４ｂをそれぞれ備えている。収納部をスリット１４、１４とすることにより、小さな収納スペースで効率よくハイバック支持フレームを収納できる。さらに、見た目にも目立たず、見栄えの悪化を防ぐこともできる。特に、常時スリットの奥の溝が表出している状態でなく、スリットに可撓性やクッション性を持たせて、通常時にはスリットが閉じており、一見すると線のように見えるようにしておきながら、ハイバック支持フレーム４０を収納する際にはスリットに押し込むことで溝が現れる態様とすることで、スリットを設けながらも溝を表出させ難くして、外観の悪化を低減できる。図１等の例では、説明を判り易くするためスリット１４を明確な溝状に示しているが、実際には溝が埋まった筋状に視認されるようにすることが好ましい。これは以下の図面においても同様である。
【００２０】
また、背もたれ部１１は、図３の断面図に示すように、座部１２と接する底部に、突出部１１ｂを備えてもよい。突出部１１ｂに沿って、座部１２上に座部用クッション５０を載置することができ、座部用クッション５０の位置決めがしやすく、ソファ本体１０内での納まりもよくなる。この背もたれ部１１は、図３の破線で示すように、側面視台形状である。背もたれ面１１ａは、座部１２の表面に対して傾斜するように設けている。背もたれ面１１ａが傾斜していることにより、使用者が着座した際に、自然と体が後方に傾き、リラックスできる姿勢に導くことができる。そして、背もたれ部１１は、背もたれ部１１と直交する方向において、ハイバック支持フレーム４０を収納できる程度の厚みを有している。より具体的には、背もたれ部１１の台形状の上底Ｄ１の長さを５ｃｍ〜１５ｃｍ程度、下底Ｄ２の長さを１５ｃｍ〜２５ｃｍ程度としている。ただ、本願発明の背もたれ面は座部１２の表面に対して傾斜している形状に限られず、背もたれ面と座部１２の表面が直交していてもよい。
【００２１】
また、図２の平面図に示すように、この背もたれ部１１の両端に、背もたれ部１１と直交するように一対の背もたれ側側部１５、１５を設けてもよい。一対の背もたれ側側部１５、１５を設けることにより、背もたれ部１１の側部が一段前方に突出し、背もたれ部１１に載置される背もたれ用クッション２０の端面を壁のように堰き止めることができる。これにより、背もたれ用クッション２０がソファ本体１０の外側にずれることを防ぐことができる。なお背もたれ側側部１５、１５は、座部側側部１３、１３と別部材としてもいいし、一体に形成してもよい。
（ハイバック支持フレーム４０）
【００２２】
図１のソファ本体１０は座席を３つ備えている。そして、背もたれ部１１に、図１及び図５Ａに示す収納姿勢と、図４及び図５Ｂに示す展開姿勢に切り替え可能なハイバック支持フレーム４０を３つ、横並びに備えている。ハイバック支持フレーム４０は、図６に示すように、細長い棒状であって、平面視概ねコ字状としている。ハイバック支持フレーム４０は、金属製のものが好ましい。金属は剛性と耐久性に優れているからである。ただ、本願発明のハイバック支持フレーム４０は金属製に限られるものではない。例えば、樹脂やカーボンなど他の材料も選択し得る。このハイバック支持フレーム４０は、一対の回動部４１、４１と、挿入部４２とを備える。一対の回動部４１、４１は、ハイバック支持フレーム４０の両端側に設けられる。各回動部４１、４１は、背もたれ部１１に埋設されて、回転軸を中心に回動自在としている。挿入部４２は、ハイバック支持フレーム４０を展開姿勢とする状態で、回動部４１、４１からスリット１４、１４を介して背もたれ部１１の外部に延出させて、図４に示すハイバック用クッション６０を挿入する。
【００２３】
図６に示すように、挿入部４２は概ねコ字状である。この挿入部４２は、一対の第一部材４２ａ、４２ａと、第二部材４２ｂとを備える。第二部材４２ｂは、一対の第一部材４２ａ、４２ａ間に設けられ、一対の第一部材４２ａ、４２ａを連結する。ハイバック支持フレーム４０はさらに、回動部４１、４１と、挿入部４２との間に、一対の折曲部４３、４３を備えてもよい。一対の折曲部４３、４３は、概ね曲線状に湾曲されており、ハイバック支持フレーム４０を展開姿勢とする状態で、スリット１４、１４から背もたれ部１１の外部に突出するようにしている。この折曲部４３、４３の形状や突出の程度により、後で詳しく述べるが、ハイバック用クッション６０の位置を調節することが可能となる。
【００２４】
本願発明の回動部４１、４１は、ハイバック支持フレーム４０を回動自在に背もたれ部１１に取り付けることができれば、特に限定されない。本実施形態では、図７の側面図に示すように、折曲部４３、４３の端部に板状の回動部４１、４１を設けている。この回動部４１、４１に、折曲部４３、４３の軸方向と直交する中心軸を有する開口４４、４４を設けている。そして、図４の部分拡大図に示すように、スリット１４、１４の内壁１４ｂ、１４ｂの回動部４１、４１に対応する部分に、垂直姿勢に埋設された一対の板状部材１６、１６を設けている。また、一対の板状部材１６、１６はそれぞれ挿入穴１６ａ、１６ａを備えている。そして、回動部４１の開口４４と板状部材１６の挿入穴１６ａとをネジ等で螺合することにより、ハイバック支持フレーム４０を回動自在に背もたれ部１１に取り付けることができる。なお、ハイバック支持フレーム４０を背もたれ部１１に回動自在に取り付ける構成は上記に限られない。例えば、回動部４１、４１を内壁１４ａ、１４ａ側に設けてもよい。
【００２５】
さらに、変形例として図８Ａに示すように、ハイバック支持フレーム４０Ｂの折曲部４３Ｂ、４３Ｂの端部を外向きに、折曲部４３Ｂ、４３Ｂと直交するように折曲し、回動部４１Ｂ、４１Ｂとしてもよい。この場合、各スリット１４内の内壁１４ｂの回動部４１Ｂと対応する箇所に、板状部材１６を設け、回動部４１Ｂ、４１Ｂを挿入穴１６ａ、１６ａに挿入することにより、ハイバック支持フレーム４０Ｂを回動自在に背もたれ部１１に取り付けることができる。さらにまた、別の変形例として、図８Ｂに示すように、ハイバック支持フレーム４０Ｃの折曲部４３Ｃ、４３Ｃの端部を内向きに、折曲部４３Ｃ、４３Ｃと直交するように折曲し、回動部４１Ｃ、４１Ｃとしてもよい。この場合、各スリット１４内の内壁１４ａの回動部４１Ｃと対応する箇所に、板状部材１６を設け、回動部４１Ｃ、４１Ｃを挿入穴１６ａ、１６ａに挿入することにより、ハイバック支持フレーム４０を回動自在に背もたれ部１１に取り付けることができる。
【００２６】
このように、ハイバック支持フレーム４０を回動自在な状態で背もたれ部１１に組み込むことで、別部材の差し込み式ヘッドレストを準備する態様と比べて、別部材を管理する必要がなくなり、必要時には直ぐにヘッドレストを使用でき、必要でないときはコンパクトに収納できるといった利点が得られる。またソファにハイバック機能を予め組み込むことで、別部材の差し込み式ヘッドレストを別途購入することなく、標準でハイバック機能を提供できる。
【００２７】
このハイバック支持フレーム４０を収納姿勢とした状態では、ハイバック支持フレーム４０の大部分はスリット１４、１４内に収納されている。つまり、図１に示すように、ハイバック支持フレーム４０の挿入部４２の第一部材４２ａ、４２ａ及び折曲部４３、４３はスリット１４、１４の内部に収納され、一方、挿入部４２の第二部材４２ｂは背もたれ部１１の背もたれ面１１ａ上に露出している。そして、この露出している第二部材４２ｂを、使用者が掴んで背もたれ部１１の上方まで持ち上げることにより、ハイバック支持フレーム４０を図４に示す展開姿勢とすることができる。
【００２８】
ここで、図４及び図５に示すように、背もたれ部１１は、スリット１４、１４内に一対の棒状のストッパ１７、１７を備えてもよい。ストッパ１７、１７により、ハイバック支持フレーム４０をスリット１４、１４内に収納した状態で、ハイバック支持フレーム４０がそれ以上回動しないように規制することができる。これにより、ハイバック支持フレーム４０が必要以上に背もたれにめり込む事態を回避する。また、ハイバック支持フレーム４０を展開する際には、使用者がハイバック支持フレーム４０を手で持ち易い位置となるように、ストッパ１７、１７でもって予め収納状態の位置を規定できる。
【００２９】
また、図４に示すハイバック支持フレーム４０を展開姿勢とした状態では、ハイバック支持フレーム４０を背もたれ部１１の上方に突出させて、ハイバック指示フレーム４０に別部材のハイバック用クッション６０を連結可能としている。より具体的には、ハイバック支持フレーム４０を展開姿勢とした状態では、曲線状の折曲部４３、４３がスリット１４、１４を介して背もたれ面１１ａの前方に突出している。そして、折曲部４３、４３の先端から挿入部４２の第一辺４２ａ、４２ａが上方に向かって延出している。さらに、挿入部４２の第二辺４２ｂが第一辺４２ａ、４２ａ間に設けられ、第一辺４２ａ、４２ａの端部を接続している。このように、ハイバック支持フレーム４０を背もたれ部１１の上方に引き上げた状態で、背もたれ用クッション２０を背もたれ面１１ａ上に載置する。そして、この挿入部４２を、図９に示すハイバック用クッション６０の裏面に設けられた、下向きに開口されたポケット状の連結部６１に挿入することにより、ハイバック指示フレーム４０にハイバック用クッション６０を連結可能とし、ハイバック用クッション６０を背もたれ用クッション２０の上方に保持させることができる。
【００３０】
上記構成により、ハイバック仕様とした場合にはハイバック支持フレーム４０を展開姿勢に切り替えることで、ハイバック用クッション６０を背もたれ用クッション２０の上方に保持させることができる。一方でローバック仕様とした場合には、ハイバック支持フレーム４０を収納姿勢に切り替えることで、ハイバックのないローバック仕様のソファとして使用できる。すなわち、ハイバックの非使用時にはハイバック支持フレーム４０を収納させつつ、必要時にのみハイバック支持フレーム４０を展開することが可能となり、一のソファでハイバック付きのソファとハイバックなしのソファとに切り替えることができ、便利に使用できる利点が得られる。また、ハイバック支持フレーム４０を別部材とせずソファ本体１０に組み込み、ハイバック非使用時にはソファ本体１０にハイバック支持フレーム４０を収納できるようにしている。これにより、ハイバック支持フレーム４０を別の場所に片付ける必要もなくなるため、余分な収納場所を確保する必要もなくなって利便性が高まる利点も得られる。
【００３１】
ここで、折曲部４３を曲線状としているため、ハイバック支持フレーム４０を展開姿勢とした状態で、折曲部４３は、スリット１４を介してなだらかな曲線状で上方に延出し、第一辺４２ａと交わる。そして、図９に示すように、折曲部４３と第一辺４２ａの交点Ｐが背もたれ用クッション２０の上面２０ａより若干低い位置にくるようにハイバック支持フレーム４０を設計すると、断面図に示すように折曲部４３及び交点Ｐの部分が柔らかい背もたれ用クッション２０の上面２０ａを押圧して若干埋没するようになる。つまり、折曲部４３及び交点Ｐの部分でもって、上面２０ａを上から押圧して、背もたれ用クッション２０を安定的に保持することができる。また、この交点Ｐは、背もたれ用クッション２０の厚さの範囲内に収まるようにしている。つまり、背もたれ用クッション２０の表面から突出しないようにして、使用者がハイバック仕様とした場合に、ハイバック支持フレーム４０の一部が後頭部にあたって違和感を感じる事態を回避している。このような構成により、背もたれ用クッション２０が使用中に位置ずれせず、定位置に保持することができる。そして、この背もたれ用クッション２０の上部にハイバック用クッション６０を保持して、位置決めされた状態にて安定してハイバック仕様のソファを利用できる利点が得られる。すなわち、展開姿勢としたハイバック支持フレーム４０でもって、背もたれ用クッション２０とハイバック用クッション６０を安定的に保持することで、ローバックソファをハイバックソファとして使用できる。
【００３２】
さらに、折曲部４３及び挿入部４２の形状や突出の程度により、ハイバック用クッション６０の位置を調節することができる。例えば、ハイバック支持フレーム４０を展開姿勢とした状態で、折曲部４３の前方への突出量が大きくなるにつれて、ハイバック用クッション６０の位置も背もたれ部１１から離れることになる。一方、折曲部４３の突出量が小さくなるにつれて、ハイバック用クッション６０は背もたれ部１１側に近づくこととなる。さらにまた、図９に示す折曲部４３と挿入部４２の第一辺４２ａとがなす角度θが鋭角になるほど、ハイバック用クッション６０は背もたれ部１１側に傾くこととなる。一方、角度θが鈍角になるほど、ハイバック用クッション６０は座部１２側に傾くこととなる。さらにまた、折曲部４３の湾曲の曲率半径が大きくなれば、湾曲具合が緩くなるため、ハイバック用クッション６０は背もたれ部１１側に傾くこととなる。一方、曲率半径が小さくなれば、湾曲具合が急になるため、ハイバック用クッション６０は座部１２側に傾くこととなる。ただ、本実施形態において、折曲部４３を曲線状としているが、本願発明の折曲部は曲線状に限られない。例えば、二本の直線からなるＬ字状等、様々な形状を採用し得る。
（ハイバック用クッション６０）
【００３３】
ハイバック用クッション６０の形状は特に限定されない。例えば本実施形態においては、図９に示すように、使用者の後頭部を支持できる程度の大きさを有する、概ね平面視矩形状としている。矩形状のクッションにすると、枕のように後頭部を包み込んで支持しやすいからである。このハイバック用クッション６０も、ソファ本体１０、背もたれ用クッション２０及び座部用クッション５０と同様に、その表面を不織布、皮革、ビニール等の可撓性のあるソファーカバーで覆われている。また、ハイバック用クッション６０は、裏面に設けられ、下向きに開口されたポケット状の連結部６１を備えている。そして、下向きに開口されたポケット状の連結部６１にハイバック支持フレーム４０の挿入部４２を上方向に挿入することにより、ハイバック支持フレーム４０にハイバック用クッション６０を連結することができる。つまり、下向きに開口されたポケット状の連結部６１を設けるだけで、簡単にハイバック支持フレーム４０にハイバック用クッション６０を連結することができる。
【００３４】
ただ、ハイバック支持フレーム４０にハイバック用クッション６０を連結する方法は、下向きに開口されたポケット状の連結部６１に限られない。ハイバック用クッション６０の裏面に設けたストラップなどをハイバック支持フレーム４０の挿入部４２に巻き付け、ボタン留めする等で連結してもよいし、マジックテープで留める、固定用のベルトを備える等、様々な方法を採用し得る。
【００３５】
このハイバック用クッション６０は、図１に示すようにハイバック支持フレーム４０を収納姿勢とした状態で、ソファ本体１０の上面に載置したクッションとして利用可能である。これにより、通常時はクッションとして使用しながら、ハイバック仕様とした場合にはハイバック用の頭部を受けるクッションとして利用することができ、部材の共通化によって構成を簡素化できる。特にローバック仕様とした場合には通常のクッションとして利用できるので、ハイバック用に別途クッションを用意する必要がないばかりか、ハイバック用のクッションを片付ける必要もなくなり、クッションとして無駄なく活用できる利点が得られる。
（実施形態２）
【００３６】
ここで、本実施形態１において、収納部として一対のスリット１４、１４を設けている。ただ、本願発明の収納部は一対のスリット１４、１４に限定されるものではない。例えば、実施形態２のソファ２００に係る収納部として、図１０に示すように、背もたれ部１１Ｄの背もたれ面１１ｄから内側にコ字状のスリット１４Ｄを形成している。コ字状のスリット１４Ｄであれば、挿入部４２の第二部材４２ｂを背もたれ面１１ｄ上に露出することなくスリット１４Ｄ内に収納することができる。またこの場合は、使用者が収納状態から展開状態に切り替えるための構造を必要時に応じて付加してもよい。例えば第二部材４２ｂに紐を取り付けて、収納状態においてスリットから紐が延出させた状態とする。これにより使用者は、紐を引くことで簡単にスリットからハイバック支持フレーム４０Ｄを引き出すことが可能となる。
（実施形態３）
【００３７】
また、図１１Ａ及び図１１Ｂに示すように、実施形態３のソファ３００に係るハイバック支持フレーム４０Ｅは折曲部４３を設けず、背もたれ部１１Ｅの背もたれ面１１ｅに沿った形状のハイバック支持フレームとしている。このような形状により、ハイバック支持フレーム４０Ｅを背もたれ面１１ｅに突出することなく載置できる。この場合、収納部を設けなくても、背もたれ面１１ｅ上にハイバック支持フレーム４０Ｅを露出させ、背もたれ用クッション２０をハイバック支持フレーム４０Ｅ及び背もたれ面１１ｅ上に載置することにより、ハイバック支持フレーム４０Ｅを覆い隠すことができる。また、ハイバック支持フレーム４０Ｅが背もたれ面１１ｅから突出しないため、使用者が背もたれ用クッション２０にもたれかかっても、ハイバック支持フレーム４０Ｅが背もたれ面１１ｅに載置されていることを殊更意識して、違和感を感じる事態を回避できる。したがって、収納部を設けることを要しないため、簡単にソファ本体を製造することができる。
（実施形態４）
【００３８】
一方で、ハイバック支持フレーム４０の数を適宜設定することもできる。例えば図１に示した実施形態１に係るソファ１００においては、第一辺１０ａにおけるハイバック支持フレーム４０の数を３つとしたが、本発明はハイバック支持フレーム４０の数をこの数に限定するものでない。ハイバック支持フレーム４０の数は、ニーズに応じて増減し得る。また、例えば、図１２に示す実施形態４に係るソファ４００においては、背もたれ部１１Ｆにハイバック支持フレーム４０を１つ設けている。これにより、一人掛け用のソファもハイバック仕様とすることができる。
【産業上の利用可能性】
【００３９】
本発明に係るソファは、家庭用、オフィス用、公共交通機関の待合室などの公共施設用等のソファとして好適に利用できる。
【符号の説明】
【００４０】
１００、２００、３００、４００…ソファ
１０…ソファ本体
１０ａ…ソファ本体の長辺
１０ｂ…ソファ本体の短辺
１１、１１Ｄ、１１Ｅ、１１Ｆ…背もたれ部
１１ａ、１１ｄ、１１ｅ…背もたれ面
１１ｂ…突出部
１２…座部
１３…座部側側部
１４、１４Ｄ…スリット
１４ａ、１４ｂ…スリットの内壁
１５…背もたれ側側部
１６…板状部材
１６ａ…挿入穴
１７…ストッパ
２０…背もたれ用クッション
２０ａ…上面
３０…脚部
４０、４０Ｂ、４０Ｃ、４０Ｄ、４０Ｅ…ハイバック支持フレーム
４１、４１Ｂ、４１Ｃ…回動部
４２…挿入部
４２ａ…第一部材
４２ｂ…第二部材
４３、４３Ｂ、４３Ｃ…折曲部
４４…開口
５０…座部用クッション
６０…ハイバック用クッション
６１…連結部
９０…ヘッドレストクッション
９１…枠体
Ｄ１…台形状の上底の長さ
Ｄ２…台形状の下底の長さ
Ｐ…折曲部と第一辺の交点
θ…折曲部と挿入部の第一辺とがなす角度
【図１】
2020195546.tif 000003
【図２】
2020195546.tif 000004
【図３】
2020195546.tif 000005
【図４】
2020195546.tif 000006
【図５】
2020195546.tif 000007
【図６】
2020195546.tif 000008
【図７】
2020195546.tif 000009
【図８】
2020195546.tif 000010
【図９】
2020195546.tif 000011
【図１０】
2020195546.tif 000012
【図１１】
2020195546.tif 000013
【図１２】
2020195546.tif 000014
【図１３】
2020195546.tif 000015